(57)【要約】【課題】共通の回路構成の兼用化を図る。【解決手段】電源装置１は、第１出力端子１０１及び第２出力端子１０２から直流電圧を出力する直流電源回路１０を備える。電源装置１は、第１出力端子１０１と電気的に接続され、かつ、光源２の第１端と電気的に接続される第１負荷端子Ｔ１と、光源２の第２端と電気的に接続される第２負荷端子Ｔ２とを備える。電源装置１は、第１負荷端子Ｔ１から第２負荷端子Ｔ２に流れる第１負荷電流ＩＬ１を調整する第１電流調整回路１１と、第３負荷端子Ｔ３と、第１負荷端子Ｔ１から第３負荷端子Ｔ３に流れる第２負荷電流ＩＬ２を調整する第２電流調整回路１２とを備える。電源装置１は、第２負荷端子Ｔ２と第３負荷端子Ｔ３を電気的に導通させる第１状態と第２負荷端子Ｔ２と第３負荷端子Ｔ３を電気的に導通させない第２状態を択一的に切り替える切替部１３を備える。【選択図】        図１
2020119742.tif 000002
【特許請求の範囲】
【請求項１】
第１出力端子及び第２出力端子を有し、前記第１出力端子及び前記第２出力端子から直流電圧を出力する直流電源回路と、
前記第１出力端子と電気的に接続され、かつ、負荷の第１端と電気的に接続される第１負荷端子と、
前記負荷の第２端と電気的に接続される第２負荷端子と、
前記第１負荷端子から前記第２負荷端子に流れる第１負荷電流を調整する第１電流調整回路と、
第３負荷端子と、
前記第１負荷端子から前記第３負荷端子に流れる第２負荷電流を調整する第２電流調整回路と、
前記第２負荷端子と前記第３負荷端子を電気的に導通させる第１状態と前記第２負荷端子と前記第３負荷端子を電気的に導通させない第２状態を択一的に切り替える切替部と、
を備える、
電源装置。
【請求項２】
前記切替部は、
プリント配線板に形成され、前記第２負荷端子と電気的に接続された第１ランドと、
前記プリント配線板に形成され、前記第３負荷端子と電気的に接続された第２ランドと、
を有し、
前記第１ランドと前記第２ランドは、導体を介して電気的に接続可能である、
請求項１記載の電源装置。
【請求項３】
前記第１電流調整回路は、
前記第２負荷端子と前記第２出力端子の間に挿入された第１半導体素子を有し、
前記第２電流調整回路は、
前記第３負荷端子と前記第２出力端子の間に挿入された第２半導体素子を有し、
前記第１半導体素子及び前記第２半導体素子を制御して前記第１負荷電流及び前記第２負荷電流を調整する制御回路を備える、
請求項１又は２記載の電源装置。
【請求項４】
請求項１〜３のいずれかの電源装置と、
前記負荷に相当する光源を支持する器具本体と、
を備える、
照明器具。
【発明の詳細な説明】
【技術分野】
【０００１】
本開示は、電源装置及び照明器具に関し、より詳細には、負荷に定電流を供給する電源装置、及び当該電源装置と負荷に相当する光源を備える照明器具に関する。
【背景技術】
【０００２】
電源装置の従来例として、特許文献１記載の点灯装置を例示する。特許文献１記載の点灯装置（以下、従来例１という。）は、定電流回路を備える。定電流回路は、第１光色を有する第１光源と第２光色を有する第２光源を含む光源部に定電流を供給する。定電流回路の出力端子間に、第１光源と第１スイッチの直列回路と、第２光源と第２スイッチの直列回路とが互いに並列接続されている。さらに、第１光源と第１スイッチの接続点と第２光源と第２スイッチの接続点が抵抗素子を介して電気的に接続されている。従来例１は、第１スイッチ及び第２スイッチを個別にオン・オフする制御部を更に備える。制御部は、第１スイッチが導通する第１導通状態と、第２スイッチが導通する第２導通状態とのいずれかに切り替える。第１導通状態において、第２光源は、第２導通状態で点灯する光量よりも小さい光量で点灯する。第２導通状態において、第１光源は、第１導通状態で点灯する光量よりも小さい光量で点灯する。
【０００３】
別の従来例として、特許文献２記載のＬＥＤドライブを例示する。特許文献２記載のＬＥＤドライブ（以下、従来例２という。）は、交流入力を整流する整流器と、整流器の脈流出力を直流に変換する力率改善回路と、負荷であるＬＥＤ（Light Emitting Diode）に電流を流す電流駆動回路とを備える。電流駆動回路は、二つの高電子移動度トランジスタを有する。これら二つの高電子移動度トランジスタのそれぞれのドレインは、ＬＥＤのカソードに並列接続されている。したがって、ＬＥＤに流れる電流が二つの高電子移動度トランジスタに分かれるので、個々の高電子移動度トランジスタの許容電力を下げることができる。そのため、従来例２のＬＥＤドライブ（電源装置）は、電流駆動回路の温度上昇を抑制することができる。
【先行技術文献】
【特許文献】
【０００４】
【特許文献１】特開２０１６−１８１４８３号公報
【特許文献２】特開２０１６−１６４９８３号公報
【発明の概要】
【発明が解決しようとする課題】
【０００５】
ところで、従来例１の電源装置（点灯装置）と従来例２の電源装置（ＬＥＤドライバ）は、負荷（光源部及びＬＥＤ）の数が異なる点を除いて、基本的な回路構成が共通している。そのため、共通する回路構成を複数種類の電源装置（例えば、従来例１の点灯装置と従来例２のＬＥＤドライバ）で兼用することが望まれている。
【０００６】
本開示の目的は、共通の回路構成の兼用化を図ることができる電源装置及び照明器具を提供することである。
【課題を解決するための手段】
【０００７】
本開示の一態様に係る電源装置は、第１出力端子及び第２出力端子を有し、前記第１出力端子及び前記第２出力端子から直流電圧を出力する直流電源回路を備える。前記電源装置は、前記第１出力端子と電気的に接続され、かつ、負荷の第１端と電気的に接続される第１負荷端子と、前記負荷の第２端と電気的に接続される第２負荷端子とを備える。前記電源装置は、前記第１負荷端子から前記第２負荷端子に流れる第１負荷電流を調整する第１電流調整回路と、第３負荷端子と、前記第１負荷端子から前記第３負荷端子に流れる第２負荷電流を調整する第２電流調整回路とを備える。前記電源装置は、前記第２負荷端子と前記第３負荷端子を電気的に導通させる第１状態と前記第２負荷端子と前記第３負荷端子を電気的に導通させない第２状態を択一的に切り替える切替部を備える。
【０００８】
本開示の一態様に係る照明器具は、前記電源装置と、前記負荷に相当する光源を支持する器具本体とを備える。
【発明の効果】
【０００９】
本開示の電源装置及び照明器具は、共通の回路構成の兼用化を図ることができるという効果がある。
【図面の簡単な説明】
【００１０】
【図１】図１は、本開示の実施形態に係る電源装置において、切替部が第２状態に切り替わっている場合の回路構成図である。
【図２】図２は、同上の電源装置における切替部の平面図である。
【図３】図３は、同上の電源装置において、切替部が第１状態に切り替わっている場合の回路構成図である。
【図４】図４Ａは、本開示の実施形態に係る照明器具の断面図である。図４Ｂは、本開示の別の実施形態に係る照明器具の断面図である。
【発明を実施するための形態】
【００１１】
本開示の実施形態に係る電源装置及び照明器具について、図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１２】
実施形態に係る電源装置１（以下、電源装置１と略す。）は、図１に示すように、商用電源９から供給される交流電力を直流電力に変換して負荷に供給する。実施形態における負荷は、複数個のＬＥＤによって構成されたＬＥＤモジュール（第１ＬＥＤモジュール２１又は第１ＬＥＤモジュール２１と第２ＬＥＤモジュール２２）を有する光源２である。ただし、負荷は光源以外の負荷であっても構わない。また、光源２は、ＬＥＤモジュールに限定されず、有機エレクトロルミネッセンス素子又は半導体レーザ素子などの固体光源でもよい。
【００１３】
第１ＬＥＤモジュール２１は、例えば、昼光色の光（相関色温度が５７００Ｋ〜７１００Ｋの範囲の可視光）を出力する。第２ＬＥＤモジュール２２は、例えば、電球色の光（相関色温度が２６００Ｋ〜３２５０Ｋの範囲の可視光）を出力する。
【００１４】
電源装置１は、直流電源回路１０、第１電流調整回路１１、第２電流調整回路１２、切替部１３及び制御回路１４を備える（図１参照）。
【００１５】
直流電源回路１０は、整流器１０３と、ＤＣ・ＤＣコンバータ１０４と、コンバータ制御回路１０５とを有する。直流電源回路１０は、第１出力端子１０１及び第２出力端子１０２から直流電流を出力する。
【００１６】
整流器１０３は、ダイオードブリッジ回路であり、商用電源９から入力する交流電圧を全波整流する。整流器１０３は、高電位側及び低電位側の脈流出力端間より、脈流電圧を出力する。
【００１７】
ＤＣ・ＤＣコンバータ１０４は、SEPIC（Single Ended Primary Inductor Converter）回路からなる昇降圧チョッパ回路である。ただし、ＤＣ・ＤＣコンバータ１０４は、SEPIC回路以外の昇降圧チョッパ回路でもよいし、昇圧チョッパ回路又は降圧チョッパ回路でもよい。
【００１８】
ＤＣ・ＤＣコンバータ１０４は、スイッチング素子Ｑ３、第１インダクタＬ１、第２インダクタＬ２、コンデンサＣ１、ダイオードＤ１及び平滑コンデンサＣ０を有する。ただし、第１インダクタＬ１と第２インダクタＬ２は、同じ鉄心に巻き回されていてもよいし、それぞれ別の鉄心に巻き回されていてもよい。第１インダクタＬ１の第１端（巻き始め）が整流器１０３の高電位側の脈流出力端と電気的に接続され、第１インダクタＬ１の第２端がコンデンサＣ１の第１端と電気的に接続されている。コンデンサＣ１の第２端がダイオードＤ１のアノード及び第２インダクタＬ２の第２端と電気的に接続されている。ダイオードＤ１のカソードが平滑コンデンサＣ０の正極と電気的に接続されている。平滑コンデンサＣ０の負極及び第２インダクタＬ２の第１端（巻き始め）が整流器１０３の低電位側の脈流出力端と電気的に接続されている。スイッチング素子Ｑ３は、エンハンスメント形のＮチャネルＭＯＳＦＥＴ（Metal Oxide Semiconductor Field Effect Transistor）である。スイッチング素子Ｑ３のドレインが第１インダクタＬ１の第２端及びコンデンサＣ１の第１端と電気的に接続されている。スイッチング素子Ｑ３のソースが整流器１０３の低電位側の脈流出力端、第２インダクタＬ２の第１端及び平滑コンデンサＣ０の負極と電気的に接続されている。なお、平滑コンデンサＣ０の正極が第１出力端子１０１と電気的に接続され、平滑コンデンサＣ０の負極が第２出力端子１０２と電気的に接続されている。
【００１９】
コンバータ制御回路１０５は、スイッチング素子Ｑ３のゲート・ソース間に駆動電圧を印加することにより、スイッチング素子Ｑ３をスイッチングする。コンバータ制御回路１０５は、スイッチング素子Ｑ３のデューティ比を調整することにより、ＤＣ・ＤＣコンバータ１０４の出力電圧を目標電圧に一致させる。なお、出力電圧の目標電圧は、光源２の点灯開始電圧、すなわち、第１ＬＥＤモジュール２１の点灯開始電圧と第２ＬＥＤモジュール２２の点灯開始電圧のうちの高い方の点灯開始電圧よりも高い電圧である。
【００２０】
直流電源回路１０の第１出力端子１０１は、第１負荷端子Ｔ１と電気的に接続されている。第１負荷端子Ｔ１は、第１ＬＥＤモジュール２１の正極及び第２ＬＥＤモジュール２２の正極と電気的に接続されている。第１ＬＥＤモジュール２１の負極は、電源装置１の第２負荷端子Ｔ２と電気的に接続されている。第２ＬＥＤモジュール２２の負極は、電源装置１の第３負荷端子Ｔ３と電気的に接続されている。つまり、第１ＬＥＤモジュール２１は、第１負荷端子Ｔ１と第２負荷端子Ｔ２に電気的に直列接続されている。第２ＬＥＤモジュール２２は、第１負荷端子Ｔ１と第３負荷端子Ｔ３に電気的に直列接続されている。ここで、第１負荷端子Ｔ１から第１ＬＥＤモジュール２１を経由して第２負荷端子Ｔ２に流れる負荷電流を第１負荷電流ＩＬ１と呼び、第１負荷端子Ｔ１から第２ＬＥＤモジュール２２を経由して第３負荷端子Ｔ３に流れる負荷電流を第２負荷電流ＩＬ２と呼ぶ。
【００２１】
第１電流調整回路１１は、制御回路１４に制御されて第１負荷電流ＩＬ１を調整する。第１電流調整回路１１は、直流電源回路１０の第２出力端子１０２と第２負荷端子Ｔ２の間に設けられている。第１電流調整回路１１は、第１半導体素子Ｑ１と抵抗器Ｒ１を有する。第１半導体素子Ｑ１は、エンハンスメント形のＮチャネルＭＯＳＦＥＴである。第１半導体素子Ｑ１のドレインが第２負荷端子Ｔ２と電気的に接続されている。第１半導体素子Ｑ１のソースが抵抗器Ｒ１の第１端と電気的に接続されている。抵抗器Ｒ１の第２端が第２出力端子１０２と電気的に接続されている。
【００２２】
第２電流調整回路１２は、制御回路１４に制御されて第２負荷電流ＩＬ２を調整する。第２電流調整回路１２は、直流電源回路１０の第２出力端子１０２と第３負荷端子Ｔ３の間に設けられている。第２電流調整回路１２は、第２半導体素子Ｑ２と抵抗器Ｒ２を有する。第２半導体素子Ｑ２は、エンハンスメント形のＮチャネルＭＯＳＦＥＴである。第２半導体素子Ｑ２のドレインが第３負荷端子Ｔ３と電気的に接続されている。第２半導体素子Ｑ２のソースが抵抗器Ｒ２の第１端と電気的に接続されている。抵抗器Ｒ２の第２端が第２出力端子１０２と電気的に接続されている。
【００２３】
制御回路１４は、抵抗器Ｒ１の両端電圧に基づいて第１負荷電流ＩＬ１を検出し、抵抗器Ｒ２の両端電圧に基づいて第２負荷電流ＩＬ２を検出する。制御回路１４は、第１半導体素子Ｑ１及び第２半導体素子Ｑ２のそれぞれのゲート・ソース間電圧を調整する。制御回路１４は、第１負荷電流ＩＬ１の検出値を第１負荷電流ＩＬ１の目標値に一致させるように第１半導体素子Ｑ１のゲート・ソース間電圧を調整する。さらに、制御回路１４は、第２負荷電流ＩＬ２の検出値を第２負荷電流ＩＬ２の目標値に一致させるように第２半導体素子Ｑ２のゲート・ソース間電圧を調整する。
【００２４】
制御回路１４は、電源装置１の外の制御装置（例えば、調光器などのリモートコントローラ）から指示される調光レベル及び調色レベル（色温度）に応じて、第１負荷電流ＩＬ１の目標値及び第２負荷電流ＩＬ２の目標値を決定することが好ましい。例えば、制御回路１４は、調色レベルに応じて第１負荷電流ＩＬ１の目標値と第２負荷電流ＩＬ２の目標値の割合を決定し、かつ、調光レベルに応じて各々の目標値を決定する。
【００２５】
切替部１３は、第２負荷端子Ｔ２と第３負荷端子Ｔ３を電気的に導通させる第１状態と第２負荷端子Ｔ２と第３負荷端子Ｔ３を電気的に導通させない第２状態を択一的に切り替える。本実施形態における切替部１３は、図１に示すように、第１ランド１３１及び第２ランド１３２を有する。第１ランド１３１は、第２負荷端子Ｔ２と電気的に接続されている。第２ランド１３２は、第３負荷端子Ｔ３と電気的に接続されている。なお、本実施形態における切替部１３は、第２状態に切り替わっており、第１ランド１３１と第２ランド１３２を電気的に導通させていない。
【００２６】
第１ランド１３１及び第２ランド１３２は、図２に示すように、プリント配線板１５に形成されている。プリント配線板１５には、直流電源回路１０、第１電流調整回路１１、第２電流調整回路１２及び制御回路１４を構成する複数の電子部品が実装されている。そして、これら複数の電子部品がプリント配線板１５の片面若しくは両面に形成されているプリント配線用の導体によって電気的に接続されている。第１ランド１３１及び第２ランド１３２もプリント配線用の導体１５０と電気的に接続されている（図２参照）。なお、第１ランド１３１と第２ランド１３２は、導体１３３を介して電気的に接続可能である。導体１３３は、銅又は銅合金などの金属材料によって均一な太さに形成されることが好ましい。ただし、導体１３３は、第１ランド１３１及び第２ランド１３２のそれぞれの中心に位置するスルーホール１５１、１５２に挿入される両側の端部を除いて、合成樹脂などの電気的な絶縁物からなる絶縁体１３４で被覆されることが好ましい（図２参照）。
【００２７】
しかして、導体１３３の両側の端部がスルーホール１５１、１５２に一つずつ挿入され、かつ、第１ランド１３１及び第２ランド１３２と一つずつはんだ接合されることにより、第１ランド１３１と第２ランド１３２が導体１３３を介して導通する。つまり、切替部１３は、第１ランド１３１と第２ランド１３２を導体１３３によって電気的に接続することにより、第１状態に切り替わる。
【００２８】
切替部１３が第１状態に切り替わった場合の電源装置１の回路構成の一例を図３に示す。切替部１３が第１状態に切り替わっている、すなわち、第１ランド１３１と第２ランド１３２が導通している場合、第２負荷端子Ｔ２と第３負荷端子Ｔ３が切替部１３を介して電気的に接続されることになる。この場合、第１負荷端子Ｔ１と第２負荷端子Ｔ２に対して光源２（第１ＬＥＤモジュール２１）が電気的に接続されることが好ましい。ゆえに、第１ＬＥＤモジュール２１に流れる第１負荷電流ＩＬ１は、第２負荷端子Ｔ２から第１電流調整回路１１に流れる負荷電流と、第２負荷端子Ｔ２から切替部１３及び第３負荷端子Ｔ３を経由して第２電流調整回路１２に流れる負荷電流とに分かれる。つまり、第１負荷電流ＩＬ１を二つの半導体素子（第１半導体素子Ｑ１及び第２半導体素子Ｑ２）に分けて流すことにより、それぞれの半導体素子に必要とされる定格電力を下げることができる。そして、それぞれの半導体素子の定格電力が下がることにより、各半導体素子（第１半導体素子Ｑ１及び第２半導体素子Ｑ２）で発生する熱の低減を図ることもできる。
【００２９】
しかして、電源装置１は、切替部１３が第１状態と第２状態に切り替わることにより、２種類の回路構成（図１に示した回路構成と図３に示した回路構成）を択一的に実現することができる。つまり、電源装置１は、共通の回路構成（直流電源回路１０、第１電流調整回路１１、第２電流調整回路１２及び制御回路１４）の兼用化を図ることができる。なお、切替部１３を第１状態と第２状態のいずれかに切り替える作業は、電源装置１の製造時に実施されることが好ましい。ただし、切替部１３は、トグルスイッチなどの機械式接点を有するスイッチで構成されてもかまわない。
【００３０】
また、電源装置１は、三つ以上の電流調整回路と、四つ以上の負荷端子とを備えても構わない。例えば、電源装置１が、第３電流調整回路及び第４電流調整回路と、第４負荷端子及び第５負荷端子とを備えてもよい。この場合、第１負荷端子Ｔ１と第４負荷端子の間に第３ＬＥＤモジュールが電気的に接続され、第１負荷端子Ｔ１と第５負荷端子の間に第４ＬＥＤモジュールが電気的に接続されることが好ましい。さらに、切替部１３は、第４負荷端子と第５負荷端子を電気的に導通する状態と電気的に導通しない状態に択一的に切り替えることが好ましい。
【００３１】
次に、図４Ａ及び図４Ｂを参照して、本開示の実施形態に係る照明器具を説明する。
【００３２】
図４Ａに示す照明器具６は、天井仕上げ材Ｓに埋込配設されるダウンライトであって、光源２を内蔵した器具本体６０と、天井仕上げ材Ｓの裏側（上側）に設置される電源装置１とを備える。
【００３３】
器具本体６０は、アルミダイカストなどの金属材料により下面が開口した有底円筒形状に形成されている。器具本体６０の内底面に光源２が取り付けられる。器具本体６０の下面開口が円板状のカバー６１で閉塞される。なお、カバー６１は、ガラスやポリカーボネートなどの透光性材料で形成される。
【００３４】
電源装置１は、矩形箱状に形成された金属製のケースに収納されている。また、電源装置１は、電源ケーブル６２とコネクタ６３を介して光源２と電気的に接続される。
【００３５】
一方、図４Ｂに示す照明器具７は、天井仕上げ材Ｓに埋込配設されるダウンライトであって、光源２と電源装置１を器具本体７０内に収納して構成される。
【００３６】
器具本体７０は、アルミダイカストなどの金属材料により下面が開口した有底円筒形状に形成されている。器具本体７０の内部空間は、円板状の仕切板７１によって上下に分割されている。また、器具本体７０の下面開口は、ガラスやポリカーボネートなどの透光性材料で形成される円板状のカバー７２で閉塞される。
【００３７】
光源２は、仕切板７１の下面側に配設される。また、電源装置１は、仕切板７１の上部空間に収納される。電源装置１は、電源ケーブル７３によって光源２と電気的に接続される。
【００３８】
なお、本開示の実施形態に係る照明器具はダウンライトに限定されず、例えば、スポットライト又はシーリングライトなどのダウンライト以外の照明器具であっても構わない。
【００３９】
上述のように第１の態様に係る電源装置（１）は、第１出力端子（１０１）及び第２出力端子（１０２）を有し、第１出力端子（１０１）及び第２出力端子（１０２）から直流電圧を出力する直流電源回路（１０）を備える。第１の態様に係る電源装置（１）は、第１出力端子（１０１）と電気的に接続され、かつ、負荷（光源２）の第１端と電気的に接続される第１負荷端子（Ｔ１）と、負荷の第２端と電気的に接続される第２負荷端子（Ｔ２）とを備える。第１の態様に係る電源装置（１）は、第１負荷端子（Ｔ１）から第２負荷端子（Ｔ２）に流れる第１負荷電流（ＩＬ１）を調整する第１電流調整回路（１１）を備える。第１の態様に係る電源装置（１）は、第３負荷端子（Ｔ３）と、第１負荷端子（Ｔ１）から第３負荷端子（Ｔ３）に流れる第２負荷電流（ＩＬ２）を調整する第２電流調整回路（１２）を備える。第１の態様に係る電源装置（１）は、第２負荷端子（Ｔ２）と第３負荷端子（Ｔ３）を電気的に導通させる第１状態と第２負荷端子（Ｔ２）と第３負荷端子（Ｔ３）を電気的に導通させない第２状態を択一的に切り替える切替部（１３）を備える。
【００４０】
第１の態様に係る電源装置（１）は、切替部（１３）が第１状態と第２状態に切り替わることにより、複数種類（例えば、２種類）の回路構成を択一的に実現することができる。つまり、第１の態様に係る電源装置（１）は、共通の回路構成（例えば、直流電源回路１０、第１電流調整回路１１、第２電流調整回路１２及び制御回路１４）の兼用化を図ることができる。
【００４１】
第２の態様に係る電源装置（１）は、第１の態様との組合せにより実現され得る。第２の態様に係る電源装置（１）において、切替部（１３）は、プリント配線板（１５）に形成され、第２負荷端子（Ｔ２）と電気的に接続された第１ランド（１３１）を有することが好ましい。切替部（１３）は、プリント配線板（１５）に形成され、第３負荷端子（Ｔ３）と電気的に接続された第２ランド（１３２）を有することが好ましい。第１ランド（１３１）と第２ランド（１３２）は、導体（１３３）を介して電気的に接続可能であることが好ましい。
【００４２】
第２の態様に係る電源装置（１）は、第１ランド（１３１）、第２ランド（１３２）及び導体（１３３）からなる簡単な構成で切替部（１３）を実現することができる。
【００４３】
第３の態様に係る電源装置（１）は、第１又は第２の態様との組合せにより実現され得る。第３の態様に係る電源装置（１）において、第１電流調整回路（１１）は、第２負荷端子（Ｔ２）と第２出力端子（１０２）の間に挿入された第１半導体素子（Ｑ１）を有することが好ましい。第２電流調整回路（１２）は、第３負荷端子（Ｔ３）と第２出力端子（１０２）の間に挿入された第２半導体素子（Ｑ２）を有することが好ましい。第３の態様に係る電源装置（１）は、第１半導体素子（Ｑ１）及び第２半導体素子（Ｑ２）を制御して第１負荷電流（ＩＬ１）及び第２負荷電流（ＩＬ２）を調整する制御回路（１４）を備えることが好ましい。
【００４４】
第３の態様に係る電源装置（１）は、例えば、２種類の負荷（第１ＬＥＤモジュール２１及び第２ＬＥＤモジュール２２）に個別に負荷電流（第１負荷電流ＩＬ１及び第２負荷電流ＩＬ２）を供給することができる。
【００４５】
第４の態様に係る照明器具（６；７）は、第１〜第３のいずれかの態様に係る電源装置（１）と、負荷に相当する光源（２）を支持する器具本体（６０；７０）とを備える。
【００４６】
第４の態様に係る照明器具（６；７）は、第１〜第３のいずれかの態様に係る電源装置（１）を備えることにより、共通の回路構成の兼用化を図ることができる。
【符号の説明】
【００４７】
１  電源装置
２  光源（負荷）
６  照明器具
７  照明器具
１０  直流電源回路
１１  第１電流調整回路
１２  第２電流調整回路
１３  切替部
１４  制御回路
１５  プリント配線板
２１  第１ＬＥＤモジュール（負荷）
２２  第２ＬＥＤモジュール（負荷）
６０  器具本体
７０  器具本体
１０１  第１出力端子
１０２  第２出力端子
１３１  第１ランド
１３２  第２ランド
１３３  導体
Ｔ１  第１負荷端子
Ｔ２  第２負荷端子
Ｔ３  第３負荷端子
ＩＬ１  第１負荷電流
ＩＬ２  第２負荷電流
Ｑ１  第１半導体素子
Ｑ２  第２半導体素子
【図１】
2020119742.tif 000003
【図２】
2020119742.tif 000004
【図３】
2020119742.tif 000005
【図４】
2020119742.tif 000006